【手続補正書】
【提出日】平成23年8月11日(2011.8.11)
【手続補正１】
【補正対象書類名】特許請求の範囲
【補正対象項目名】全文
【補正方法】変更
【補正の内容】
【特許請求の範囲】
【請求項１】
１台以上のホスト計算機と、
前記ホスト計算機と接続され、前記ホスト計算機からの指示によりデータのリード／ライトを行う第１のストレージ装置と、
前記第１のストレージ装置と接続され、前記第１のストレージ装置から受信したデータを記憶するリモートコピーを実行する第２のストレージ装置と、
を備えるリモートコピーシステムであって、
前記第１のストレージ装置及び前記第２のストレージ装置の少なくとも１つは、それらの間でデータをリモートコピーする際に使用するパス情報を記憶部に保持しており、
前記ホスト計算機は、前記記憶部のパス情報を参照して、ユーザが指示した操作を実行するために必要なパスの有無を、リモートコピーの種別及びパスの方向の少なくとも１つを考慮して検出し、必要なパスがない場合、必要なパスがない旨、ならびに、リモートコピーの種別及びパスの方向の少なくとも１つを考慮したそのパスのない原因を、表示部に表示する
ことを特徴とするリモートコピーシステム。
【請求項２】
前記パス情報には、存在するパスとそのパスの方向に関する情報が含まれており、
前記ホスト計算機は、前記記憶部のパス情報を参照して、ユーザが指示した操作を実行するために必要なパスの有無を、パスの方向を考慮して検出する
ことを特徴とする請求項１に記載のリモートコピーシステム。
【請求項３】
前記第１のストレージ装置及び前記第２のストレージ装置は、さらに、自身の各ポートの接続先の情報であるポート情報を記憶部に保持しており、
前記ホスト計算機は、前記記憶部のポート情報を参照し、前記必要なパスが存在しない場合に、必要なパスを構成するためのポートの候補を抽出して、前記表示部に表示する
ことを特徴とする請求項１または請求項２に記載のリモートコピーシステム。
【請求項４】
前記ホスト計算機は、前記必要なパスの有無の検出を、ユーザによるリモートスキャン指示を契機として実施する
ことを特徴とする請求項１から請求項３のいずれか一項に記載のリモートコピーシステム。
【請求項５】
前記ホスト計算機は、前記必要なパスの有無の検出を、ユーザによるコピー定義指示を契機として実施する
ことを特徴とする請求項１から請求項４のいずれか一項に記載のリモートコピーシステム。
【請求項６】
前記第１のストレージ装置及び前記第２のストレージ装置は、さらに、リモートコピーの種別に応じて必要なパスの情報を示すリモートコピー種別情報を記憶部に保持しており、
前記ホスト計算機は、前記記憶部のリモートコピー種別情報を参照して、ユーザが指定したリモートコピーの種別に応じて、必要なパスの有無の検出を行う
ことを特徴とする請求項１から請求項５のいずれか一項に記載のリモートコピーシステム。
【請求項７】
１台以上のホスト計算機と、
前記ホスト計算機と接続され、前記ホスト計算機からの指示によりデータのリード／ライトを行う第１のストレージ装置と、
前記第１のストレージ装置と接続され、前記第１のストレージ装置から受信したデータを記憶するリモートコピーを実行する第２のストレージ装置と、
を備えるリモートコピーシステムであって、
前記第１のストレージ装置及び前記第２のストレージ装置の少なくとも１つは、それらの間でデータをリモートコピーする際に使用するパス情報を記憶部に保持しており、
前記第１のストレージ装置及び前記第２のストレージ装置は、自身の各ポートの接続先の情報であるポート情報を記憶部に保持しており、
前記ホスト計算機は、前記記憶部のパス情報及びポート情報を参照して、ユーザが指示した操作を実行するために必要なパスの有無を、リモートコピーの種別及びパスの方向の少なくとも１つを考慮して検出し、必要なパスがない場合は、少なくとも当該パスに必要な前記第１のストレージ装置及び前記第２のストレージ装置におけるそれぞれ使用可能なポートがあるときに、当該パスを作成した上で、前記ユーザが指示した操作を実行する
ことを特徴とするリモートコピーシステム。
【請求項８】
前記ホスト計算機は、前記必要なパスの有無の検出およびパスの作成を、ユーザによるリモートスキャン指示を契機として実施する
ことを特徴とする請求項７に記載のリモートコピーシステム。
【請求項９】
前記第１のストレージ装置は、前記パス情報を記憶部に保持しており、
前記第１のストレージ装置及び前記第２のストレージ装置は、さらに、自身の各ポートの接続先の情報であるポート情報を記憶部に保持しており、
前記ホスト計算機は、
ユーザによるリモートスキャン指示があった際、前記第１のストレージ装置から前記パス情報を取得し、前記必要なパスの有無の検出を行い、
必要なパスがない場合、前記記憶部のパス情報を参照し、当該パスの逆方向のパスが存在するか否かを判断し、逆方向のパスが存在するときは逆方向のパスの存在を前記表示部に表示し、逆方向のパスが存在しないときは当該パスの不存在を前記表示部に表示し、
その後、前記記憶部のポート情報を参照し、当該パスを作成するための候補ポートが存在するか否かを判断し、候補ポートが存在するときはその候補ポートを前記表示部に表示し、候補ポートが存在しないときは候補ポートの不存在を前記表示部に表示する
ことを特徴とする請求項１から請求項６のいずれか一項に記載のリモートコピーシステム。
【請求項１０】
１台以上のホスト計算機と、
前記ホスト計算機と接続され、前記ホスト計算機からの指示によりデータのリード／ライトを行う第１のストレージ装置と、
前記第１のストレージ装置と接続され、前記第１のストレージ装置から受信したデータを記憶するリモートコピーを実行する第２のストレージ装置と、
を備えるリモートコピーシステムによるパス設定支援方法であって、
前記第１のストレージ装置及び前記第２のストレージ装置の少なくとも１つは、それらの間でデータをリモートコピーする際に使用するパス情報を記憶部に保持しており、
前記ホスト計算機は、前記記憶部のパス情報を参照して、ユーザが指示した操作を実行するために必要なパスの有無を、リモートコピーの種別及びパスの方向の少なくとも１つを考慮して検出し、必要なパスがない場合、必要なパスがない旨、ならびに、リモートコピーの種別及びパスの方向の少なくとも１つを考慮したそのパスのない原因を、表示部に表示する
ことを特徴とするパス設定支援方法。
【請求項１１】
前記パス情報には、存在するパスとそのパスの方向に関する情報が含まれており、
前記ホスト計算機は、前記記憶部のパス情報を参照して、ユーザが指示した操作を実行するために必要なパスの有無を、パスの方向を考慮して検出する
ことを特徴とする請求項１０に記載のパス設定支援方法。
【請求項１２】
前記第１のストレージ装置及び前記第２のストレージ装置は、さらに、自身の各ポートの接続先の情報であるポート情報を記憶部に保持しており、
前記ホスト計算機は、前記記憶部のポート情報を参照し、前記必要なパスが存在しない場合に、必要なパスを構成するためのポートの候補を抽出して、前記表示部に表示する
ことを特徴とする請求項１０または請求項１１に記載のパス設定支援方法。
【請求項１３】
前記ホスト計算機は、前記必要なパスの有無の検出を、ユーザによるリモートスキャン指示を契機として実施する
ことを特徴とする請求項１０から請求項１２のいずれか一項に記載のパス設定支援方法。
【請求項１４】
前記ホスト計算機は、前記必要なパスの有無の検出を、ユーザによるコピー定義指示を契機として実施する
ことを特徴とする請求項１０から請求項１３のいずれか一項に記載のパス設定支援方法。
【請求項１５】
前記第１のストレージ装置及び前記第２のストレージ装置は、さらに、リモートコピーの種別に応じて必要なパスの情報を示すリモートコピー種別情報を記憶部に保持しており、
前記ホスト計算機は、前記記憶部のリモートコピー種別情報を参照して、ユーザが指定したリモートコピーの種別に応じて、必要なパスの有無の検出を行う
ことを特徴とする請求項１０から請求項１４のいずれか一項に記載のパス設定支援方法。